(57)【特許請求の範囲】
【請求項１】
ブラウザー画面上に表示されているページ情報を処理する情報処理装置であって、
前記ブラウザー画面上に表示されているページの任意の領域を指定する領域指定手段と、
前記指定された領域をクリップしてクリップ情報を作成するクリップ手段と、
前記クリップ手段により作成されたクリップ情報をクリップリストに登録するクリップリスト登録手段と、
レイアウト画面の起動が指示された場合、前記クリップリストに登録されているクリップ情報をレイアウトしたレイアウト画面を起動するレイアウト画面起動手段と、
前記レイアウト画面が起動されている最中に、前記領域指定手段による前記任意の領域の指定に伴って前記クリップリストに登録されているクリップ情報が更新された場合、該更新されたクリップ情報をレイアウトして前記レイアウト画面を更新するレイアウト画面更新手段と、
を備える情報処理装置。
【請求項２】
複数のブラウザー画面の起動が可能で、一のブラウザー画面を親画面として前記レイアウト画面を子画面として起動可能な請求項１記載の情報処理装置であって、
前記クリップリスト登録手段は、前記レイアウト画面が起動されている最中に、起動されている複数のブラウザー画面のうち前記レイアウト画面を起動させたブラウザー画面とは異なるブラウザー画面から指定された領域がクリップされクリップ情報が作成された場合に、該作成されたクリップ情報を前記クリップリストに登録する手段である
情報処理装置。
【請求項３】
請求項１または２記載の情報処理装置であって、
前記クリップリストに登録されているクリップ情報をサムネイル画面として表示するリスト表示手段と、
ユーザーの操作に基づいて、前記クリップリストに登録されているクリップ情報から任意のクリップ情報を選択するクリップ情報選択手段と、
を備え、
前記レイアウト画面起動手段と前記レイアウト画面更新手段は、前記クリップリストに登録されているクリップ情報のうち前記クリップ情報選択手段により選択されたクリップ情報をレイアウトして前記レイアウト画面に表示する手段である
情報処理装置。
【請求項４】
請求項３記載の情報処理装置であって、
前記クリップリスト登録手段は、起動されている複数のブラウザー画面のすべてが終了された場合には、前記クリップリストに登録されているクリップ情報の選択をクリアする手段である
情報処理装置。
【請求項５】
印刷装置に接続された請求項１ないし４いずれか１項に記載の情報処理装置であって、
前記レイアウト画面は、印刷プレビュー画面である
情報処理装置。
【請求項６】
コンピューターを、ブラウザー画面上に表示されているページ情報を処理する情報処理装置として機能させるためのプログラムであって、
前記ブラウザー画面上に表示されているページの任意の領域を指定する領域指定モジュールと、
前記指定された領域をクリップしてクリップ情報を作成するクリップモジュールと、
前記作成されたクリップ情報をクリップリストに登録するクリップリスト登録モジュールと、
レイアウト画面の起動が指示された場合、前記クリップリストに登録されているクリップ情報をレイアウトしたレイアウト画面を起動するレイアウト画面起動モジュールと、
前記レイアウト画面が起動されている最中に、前記領域指定モジュールによる前記任意の領域の指定を伴って前記クリップリストに登録されているクリップ情報が更新された場合、該更新されたクリップ情報をレイアウトして前記レイアウト画面を更新するレイアウト画面更新モジュールと
を備えるプログラム。
【請求項７】
ブラウザー画面上に表示されているページ情報を処理する情報処理方法であって、
前記ブラウザー画面上に表示されているページの任意の領域を指定し、
該指定された領域をクリップしてクリップ情報を作成し、
該作成されたクリップ情報をクリップリストに登録し、
レイアウト画面の起動が指示された場合、前記クリップリストに登録されているクリップ情報をレイアウトしたレイアウト画面を起動し、
前記レイアウト画面が起動されている最中に、前記任意の領域の指定を伴って前記クリップリストに登録されているクリップ情報が更新された場合、該更新されたクリップ情報をレイアウトして前記レイアウト画面を更新する
情報処理方法。
【発明の詳細な説明】
【技術分野】
【０００１】
本発明は、ブラウザー画面上に表示されているページ情報を処理する情報処理装置およびコンピューターを情報処理装置として機能させるためのプログラム並びに情報処理方法に関する。
【背景技術】
【０００２】
従来、この種の情報処理装置としては、クリップボードをクリップボード作業ウインドウに表示させるものが提案されている（例えば、特許文献１参照）。この装置では、クリップボードをページ毎にクリップボードメモリーに記憶しておき、第１ページの内容をクリップボード作業ウインドウに表示し、保有ページ分の行（ページ番号とページの先頭部分）をインデックスウインドウに表示するものとしている。
【先行技術文献】
【特許文献】
【０００３】
【特許文献１】特開平０８−２２３８３号公報
【発明の概要】
【発明が解決しようとする課題】
【０００４】
ところで、ブラウザー画面上に表示されているページの任意の領域を指定してクリップしクリップしたデータ（クリップデータ）を印刷する場合を考えると、クリップデータを複数受け付けてリストに登録できるようにすることにより、複数のクリップデータを同一用紙領域にレイアウトしてプレビュー画面上に表示させることができる。プレビュー画面では、通常、レイアウトされたデータを編集できない。このため、ユーザーが用紙領域の空きエリアを確認しながら新たなクリップデータを追加したい場合、その都度、一旦プレビュー画面を閉じて新たにブラウザー画面のページの領域を指定してクリップし再度プレビュー画面を起動する必要があり、ユーザーにとって煩わしい作業を課すものであった。
【０００５】
本発明の情報処理装置およびプログラム並びに情報処理方法は、煩わしい作業を行なうことなく、レイアウト画面上にレイアウトさせるクリップデータを編集することを主目的とする。
【０００６】
本発明の情報処理装置およびプログラム並びに情報処理方法は、上述の主目的を達成するために以下の手段を採った。
【課題を解決するための手段】
【０００７】
本発明の情報処理装置は、
ブラウザー画面上に表示されているページ情報を処理する情報処理装置であって、
前記ブラウザー画面上に表示されているページの任意の領域を指定する領域指定手段と、
前記指定された領域をクリップしてクリップ情報を作成するクリップ手段と、
前記クリップ手段により作成されたクリップ情報をクリップリストに登録するクリップリスト登録手段と、
レイアウト画面の起動が指示された場合、前記クリップリストに登録されているクリップ情報をレイアウトしたレイアウト画面を起動するレイアウト画面起動手段と、
前記レイアウト画面が起動されている最中に前記クリップリストに登録されているクリップ情報が更新された場合、該更新されたクリップ情報をレイアウトして前記レイアウト画面を更新するレイアウト画面更新手段と、
を備えることを要旨とする。
【０００８】
この本発明の情報処理装置では、ブラウザー画面上に表示されているページの任意の領域を指定し、指定された領域をクリップしてクリップ情報を作成し、作成されたクリップ情報をクリップリストに登録し、レイアウト画面の起動が指示された場合にクリップリストに登録されているクリップ情報をレイアウトしたレイアウト画面を起動し、レイアウト画面が起動されている最中にクリップリストに登録されているクリップ情報が更新された場合に更新されたクリップ情報をレイアウトしてレイアウト画面を更新する。これにより、ユーザーはブラウザー画面に表示されているページの任意の領域を指定しレイアウト画面を起動させることによりクリップ情報をレイアウトしてレイアウト画面上に表示させることができると共に、新たにページの任意の領域を指定することにより更新されたクリップ情報をレイアウト画面に直接に反映させることができる。この結果、ユーザーは煩わしい作業を行なうことなく、レイアウト画面上にレイアウトさせるクリップデータを編集することができる。
【０００９】
こうした本発明の情報処理装置において、複数のブラウザー画面の起動が可能で、一のブラウザー画面を親画面として前記レイアウト画面を子画面として起動可能な情報処理装置において、前記クリップリスト登録手段は、前記レイアウト画面が起動されている最中に、起動されている複数のブラウザー画面のうち前記レイアウト画面を起動させたブラウザー画面とは異なるブラウザー画面から指定された領域がクリップされクリップ情報が作成された場合に、該作成されたクリップ情報を前記クリップリストに登録する手段であるものとすることもできる。こうすれば、ブラウザー画面からクリップされた内容をレイアウト画面に追加する作業をより簡単なものとすることができる。この態様の本発明の情報処理装置において、前記クリップリスト登録手段は、前記レイアウト画面が起動されている最中に、起動されている複数のブラウザー画面のすべてが終了された場合には、前記クリップリストをクリアする手段であるものとすることもできる。
【００１０】
また、本発明の情報処理装置において、前記クリップリストに登録されているクリップ情報をサムネイル画面として表示するリスト表示手段と、ユーザーの操作に基づいて、前記クリップリストに登録されているクリップ情報から任意のクリップ情報を選択するクリップ情報選択手段と、を備え、前記レイアウト画面起動手段と前記レイアウト画面更新手段は、前記クリップリストに登録されているクリップ情報のうち前記クリップ情報選択手段により選択されたクリップ情報をレイアウトして前記レイアウト画面に表示する手段であるものとすることもできる。こうすれば、クリップリストをサムネイル画面で確認しながら必要なクリップ情報を選択するだけで、選択したクリップ情報のレイアウト画面を表示させることができる。この態様の本発明の情報処理装置において、前記クリップリスト登録手段は、起動されている複数のブラウザー画面のすべてが終了された場合には、前記クリップリストに登録されているクリップ情報の選択をクリアする手段であるものとすることもできる。
【００１１】
さらに、印刷装置に接続された本発明の情報処理装置において、前記レイアウト画面は、印刷プレビュー画面であるものとすることもできる。こうすれば、クリップ情報のレイアウト結果をレイアウト画面を確認しながら印刷させることができる。
【００１２】
本発明のプログラムは、
コンピューターを、ブラウザー画面上に表示されているページ情報を処理する情報処理装置として機能させるためのプログラムであって、
前記ブラウザー画面上に表示されているページの任意の領域を指定する領域指定モジュールと、
前記指定された領域をクリップしてクリップ情報を作成するクリップモジュールと、
前記作成されたクリップ情報をクリップリストに登録するクリップリスト登録モジュールと、
レイアウト画面の起動が指示された場合、前記クリップリストに登録されているクリップ情報をレイアウトしたレイアウト画面を起動するレイアウト画面起動モジュールと、
前記レイアウト画面が起動されている最中に前記クリップリストに登録されているクリップ情報が更新された場合、該更新されたクリップ情報をレイアウトして前記レイアウト画面を更新するレイアウト画面更新モジュールと
を備えることを要旨とする。
【００１３】
この本発明のプログラムをコンピューターにインストールすることにより、ユーザーはブラウザー画面に表示されているページの任意の領域を指定しレイアウト画面を起動させることによりクリップ情報をレイアウトしてレイアウト画面上に表示させることができると共に、新たにページの任意の領域を指定することにより更新されたクリップ情報をレイアウト画面に直接に反映させることができる。この結果、ユーザーは煩わしい作業を行なうことなく、レイアウト画面上にレイアウトさせるクリップデータを編集することができる。このプログラムは、コンピューターが読み取り可能な記憶媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピューターから別のコンピューターへ配信されてもよいし、その他どのような形で授受されてもよい。
【００１４】
本発明の情報処理方法は、
ブラウザー画面上に表示されているページ情報を処理する情報処理方法であって、
前記ブラウザー画面上に表示されているページの任意の領域を指定し、
該指定された領域をクリップしてクリップ情報を作成し、
該作成されたクリップ情報をクリップリストに登録し、
レイアウト画面の起動が指示された場合、前記クリップリストに登録されているクリップ情報をレイアウトしたレイアウト画面を起動し、
前記レイアウト画面が起動されている最中に前記クリップリストに登録されているクリップ情報が更新された場合、該更新されたクリップ情報をレイアウトして前記レイアウト画面を更新する
ことを要旨とする。
【００１５】
この本発明の情報処理方法によれば、ブラウザー画面上に表示されているページの任意の領域を指定し、指定された領域をクリップしてクリップ情報を作成し、作成されたクリップ情報をクリップリストに登録し、レイアウト画面の起動が指示された場合にクリップリストに登録されているクリップ情報をレイアウトしたレイアウト画面を起動し、レイアウト画面が起動されている最中にクリップリストに登録されているクリップ情報が更新された場合に更新されたクリップ情報をレイアウトしてレイアウト画面を更新する。これにより、ユーザーはブラウザー画面に表示されているページの任意の領域を指定しレイアウト画面を起動させることによりクリップ情報をレイアウトしてレイアウト画面上に表示させることができると共に、新たにページの任意の領域を指定することにより更新されたクリップ情報をレイアウト画面に直接に反映させることができる。この結果、ユーザーは煩わしい作業を行なうことなく、レイアウト画面上にレイアウトさせるクリップデータを編集することができる。
【図面の簡単な説明】
【００１６】
【図１】本発明の一実施形態としての情報処理装置２０の概略を示す構成図。
【図２】ブラウザーモード設定処理の一例を示すフローチャート。
【図３】ブラウザー画面５０の一例を示す説明図。
【図４】クリップモード時のブラウザー画面５０の一例を示す説明図。
【図５】クリップモード時処理の一例を示すフローチャート。
【図６】クリップリスト編集処理の一例を示すフローチャート。
【図７】プレビュー処理の一例を示すフローチャート。
【図８】クリップデータのレイアウトの様子の前半部分を示す説明図。
【図９】クリップデータのレイアウトの様子の後半部分を示す説明図。
【図１０】印刷プレビュー画面１５０の一例を示す説明図。
【図１１】印刷プレビュー画面１５０を更新する様子を示す説明図。
【図１２】印刷プレビュー画面１５０を更新する様子を示す説明図。
【図１３】印刷プレビュー画面１５０を更新する様子を示す説明図。
【発明を実施するための形態】
【００１７】
次に、本発明の実施の形態を実施例を用いて説明する。
【００１８】
図１は、本発明の一実施形態としての情報処理装置２０の概略を示す構成図である。本実施形態の情報処理装置２０は、ルーター４２を介してインターネットに接続された汎用のパーソナルコンピューターとして構成されており、中央演算処理装置としてのＣＰＵ３２やデータを一時的に記憶するＲＡＭ３４，処理プログラムを記憶するハードディスクドライブ装置（ＨＤＤ）３６などが組み込まれたコンピューター本体３０と、表示デバイスとしての液晶ディスプレイ２２と、入力デバイスとしてのキーボード２４およびマウス２６と、を備える。また、本実施形態の情報処理装置２０は、プリンター４０に接続されており、印刷データを作成してプリンター４０に出力することにより画像を印刷できるようになっている。
【００１９】
コンピューター本体３０のＨＤＤ３６には、Ｗｅｂページを閲覧するためのＷｅｂブラウザー３６ａや、このＷｅｂブラウザー３６ａの拡張機能としてＷｅｂページ中の任意の領域を指定してクリップしたりクリップした内容を印刷したりするためのクリップ印刷用のアドオン３６ｂなどの各種プログラムがインストールされている。
【００２０】
図２は、本実施形態の情報処理装置２０のＣＰＵ３２により実行されるブラウザーモード設定処理の一例を示すフローチャートである。この処理は、ブラウザー画面が起動されたときに実行される。本実施形態では、ブラウザー画面を同時に複数起動できるものとしているから、ブラウザーモード設定処理は、起動されたブラウザー画面毎に実行されることになる。図３にブラウザー画面５０の一例を示す。ブラウザー画面５０は、図示するように、上部のツールバー５２に、現在表示されているＷｅｂページをプレビューして印刷するための印刷／プレビューボタン５４と、Ｗｅｂページの任意の領域をクリップして印刷するためのクリップ印刷ボタン５６とが配置されている。また、ブラウザー画面５０の右上には、このブラウザー画面５０を閉じるための閉じるボタン５８も配置されている。ブラウザー画面５０は、Ｗｅｂページを閲覧するための通常モードと、Ｗｅｂページの任意の領域をクリップして印刷するためのクリップモードとがあり、起動された直後は通常モードが設定される。
【００２１】
ブラウザーモード設定処理が実行されると、ＣＰＵ３２は、印刷／プレビューボタン５４が左クリックされたか否か（ステップＳ１００）、クリップ印刷ボタン５６が左クリックされたか否か（ステップＳ１１０）、をそれぞれ判定する。印刷／プレビューボタン５４が左クリックされた場合には、通常のＷｅｂページを印刷するための印刷プレビュー画面を起動し（ステップＳ１２０）、プレビューが終了するまでモーダル状態で待機して（ステップＳ１３０）、ステップＳ１００に戻る。なお、通常のＷｅｂページの印刷については、本発明の要旨をなさないから、その説明は省略する。クリップ印刷ボタン５６が左クリックされた場合には、現在のモードが通常モードであるか否かを判定し（ステップＳ１４０）、通常モードである場合にはクリップモードに設定して（ステップＳ１５０）、ステップＳ１００に戻る。ここで、クリップモードが設定されると、ブラウザー画面５０が通常モードからクリップモードに切り替えられる。
【００２２】
図４に、クリップモード時のブラウザー画面５０の一例を示す。クリップモード時のブラウザー画面５０は、図４に示すように、現在表示されているＷｅｂページ内でクリップする領域（クリップエリア６２）を選択するためのクリップ作業領域６０と、クリップデータをサムネイル表示するクリップリスト表示領域７０と、クリップ作業に関する種々の指示を行なうための各種ボタンが配置されたアクションバー８０と、が表示されており、クリップエリア６２以外のＷｅｂページ表示領域はクリップモードであることを示す半透明の幕で覆われている。アクションバー８０に配置された各種ボタンとしては、クリップエリア６２内の内容をクリップしてクリップリストに登録すると共にクリップした内容を印刷するための印刷プレビュー画面を起動する選択範囲を印刷ボタン８２や、クリップエリア６２内の選択された領域をクリップしてクリップリストに登録する選択範囲をクリップボタン８４、クリップモードを終了して通常のブラウザー画面に戻るキャンセルボタン８６が用意されている。Ｗｅｂページのクリップは、クリップ作業領域６０におけるクリップバンド６１によりクリップエリア６２を選択し、マウス２６で選択範囲を印刷ボタン８２か選択範囲をクリップボタン８４のいずれかにカーソルを合わせて左クリックすることにより行なうことができる。なお、クリップバンド６１は、クリップエリア６２を外側から囲むクリップフレーム６４と、クリップフレーム６４の四隅と各辺の中央とに配置された８つのクリップハンドル６６とから構成されており、クリップハンドル６６上にマウスカーソルを合わせて左クリックのドラッグ操作をすることによりリサイズすることができる。また、クリップエリア６２内にマウスカーソルを合わせて左クリックのドラッグ操作をすることにより、クリップバンド６１の位置を移動させることができる。クリップリスト表示領域７０は、クリップリストに登録されているクリップデータがサムネイル化されたサムネイル画像７２ａ〜７２ｃと、クリップデータに対して種々の操作を行なうための各種ボタン７４〜７８と、が表示される。サムネイル画像７２ａ〜７２ｃの右サイドには、クリップリスト表示領域７０内に収まりきれないサムネイル画像を縦スクロールにより表示するためのスクロールバー７３が設けられている。各サムネイル画像７２ａ〜７２ｃの左上に設けられたチェックボックスは、印刷するクリップデータや削除するクリップデータを選択するためのものであり、チェックＯＦＦの状態でマウス２６でカーソルを合わせて左クリックされるとチェックＯＮとなり、チェックＯＮの状態でマウス２６でカーソルを合わせて左クリックされるとチェックＯＦＦとなる。クリップ表示領域７０に配置された各種ボタンとしては、クリップリストの全てのクリップデータのチェックボックスをチェックＯＮする全てチェックＯＮボタン７４や、クリップリストの全てのクリップデータのチェックボックスをチェックＯＦＦする全てチェックＯＦＦボタン７５，クリップリストの全てのクリップデータを削除する全て削除ボタン７６，クリップリストのクリップデータのうちチェックボックスがチェックＯＮされているクリップデータだけを削除するチェック項目を削除ボタン７７，クリップリストのクリップデータのうちチェックボックスがチェックＯＮされているクリップデータだけを用紙領域にレイアウトして印刷するための印刷／プレビューボタン７８が用意されている。
【００２３】
ステップＳ１００，Ｓ１１０で印刷／プレビューボタン５４とクリップ印刷ボタン５６のいずれもが左クリックされていないと判定されたり、ステップＳ１１０でクリップ印刷ボタン５６は左クリックされたと判定されたがステップＳ１４０で現在のモードがクリップモードであると判定された場合には、閉じるボタン５８が左クリックされたか否かを判定する（ステップＳ１６０）。閉じるボタン５８が左クリックされていない場合には、ステップ１００に戻る。一方、閉じるボタン５８が左クリックされた場合には、他に起動中のブラウザー画面があるか否かを判定し（ステップＳ１７０）、他に起動中のブラウザー画面がない場合には、クリップリスト内のクリップデータを保持した状態で本ブラウザー画面５０を終了して（ステップＳ１９０）、本処理を終了する。一方、他に起動中のブラウザー画面がある場合には、クリップリスト内の全てのクリップデータをチェックＯＦＦに設定した上で（ステップＳ１８０）、クリップリスト内のクリップデータを保持した状態で本ブラウザー画面５０を終了して（ステップＳ１９０）、本処理を終了する。ここで、最後のブラウザー画面が終了する際にクリップリスト内の全てのクリップデータのチェック状態をチェックＯＦＦに設定するのは、こうした場面では一旦クリップ印刷が完了したものと考えることができるから、印刷済みのクリップデータに対してチェックＯＮの設定を解除するためである。勿論、印刷済みのクリップデータに対してチェックＯＮの設定を解除すればよいから、印刷が実行されたタイミングでクリップデータのチェック状態をチェックＯＦＦに設定するものとしてもよい。
【００２４】
次に、クリップモード時の処理について説明する。図５は、本実施形態の情報処理装置２０のＣＰＵ３２により実行されるクリップモード時処理の一例を示すフローチャートである。この処理は、図２のブラウザーモード設定処理のステップＳ１６０でクリップモードが設定されたときに実行される。なお、前述したブラウザーモード設定処理は、起動されたブラウザー画面毎に実行されるため、このクリップモード時処理も起動されたブラウザー画面毎に実行される。
【００２５】
クリップモード時処理が実行されると、ＣＰＵ３２は、まず、後述するクリップリスト編集処理を実行する（ステップＳ２００）。クリップリスト編集処理を実行すると、クリップバンドの操作、即ち、前述したクリップハンドル６６に対して左クリックのドラッグ操作がなされたり、クリップエリア６２に対して左クリックのドラッグ操作がなされたか否かを判定し（ステップＳ２１０）、これらの操作がなされた場合には、操作の種類に応じてクリップバンド６１をリサイズさせたり移動させたりする（ステップＳ２２０）。クリップバンドの操作がなされていない場合には次の処理に進む。
【００２６】
続いて、選択範囲をクリップボタン８４が左クリックされたか否か（ステップＳ２３０）、キャンセルボタン８６が左クリックされたか否か（ステップＳ２４０）、印刷／プレビューボタン７８が左クリックされたか否か（ステップＳ２５０）、選択範囲を印刷ボタン８２が左クリックされたか否か（ステップＳ２６０）、をそれぞれ判定する。各種ボタン８４，８６，７８，８２のいずれのボタンも左クリックされていない場合にはステップＳ２００に戻る。一方、選択範囲をクリップボタン８４が左クリックされた場合には、クリップバンド６１で囲まれるクリップエリア６２内の内容をクリップすることによりクリップデータを作成すると共に（ステップＳ２７０）、作成したクリップデータをチェックＯＮに設定した上でクリップリストに登録し（ステップＳ２８０）、ステップＳ２００に戻る。ここで、クリップリストの登録は、クリップデータを識別するための識別情報としてのクリップＩＤ（Ｗｅｂサイトのタイトルなど）と、クリップされたＷｅｂページのＵＲＬ（Uniform Resource Locator）と、クリップされた領域の内容と、チェック状態（チェックＯＮ，チェックＯＦＦ）とを互いに関連付けて記憶することにより行なわれる。クリップリストにクリップデータが登録されると、クリップリスト表示領域７０にはクリップした領域のサムネイル画像が追加される。キャンセルボタン８６が左クリックされた場合には、クリップモードから通常モードに変更することにより通常のブラウザー画面５０に戻って（ステップＳ２９０）、本処理を終了する。印刷／プレビューボタン７８が左クリックされた場合には、印刷プレビュー画面が既に起動されているか否かを判定する（ステップＳ３３０）。印刷プレビュー画面が起動されていない場合には、印刷プレビュー画面の起動を指示し（ステップＳ３４０）、この印刷プレビュー画面が終了するまでモーダル状態で待機して（ステップＳ３５０）、ステップＳ２００に戻る。一方、印刷プレビュー画面が起動されている場合には、重複した起動を避けるために、印刷プレビュー画面の起動を指示することなく、ステップＳ２００に戻る。選択範囲を印刷ボタン８２が左クリックされた場合には、クリップリスト内の全てのクリップデータをチェックＯＦＦに設定し（ステップＳ３００）、クリップバンド６１で囲まれるクリップエリア６２内の内容をクリップすることによりクリップデータを作成し（ステップＳ３１０）、作成したクリップデータをチェックＯＮに設定した上でクリップリストに登録する（ステップＳ３２０）。そして、印刷プレビュー画面が既に起動されているか否かを判定する（ステップＳ３３０）。印刷プレビュー画面が起動されていない場合には、印刷プレビュー画面の起動を指示し（ステップＳ３４０）、この印刷プレビュー画面が終了するまでモーダル状態で待機して（ステップＳ３５０）、ステップＳ２００に戻る。一方、印刷プレビュー画面が既に起動されている場合には、印刷プレビュー画面の起動を指示することなく、ステップＳ２００に戻る。なお、選択範囲を印刷ボタン８２がクリップされた場合、クリップリストには、今回登録したクリップデータだけがチェックＯＮに設定され、他の全てのクリップデータはチェックＯＦＦに設定されていることになるから、今回登録したクリップデータだけを印刷するための印刷プレビュー画面の起動を指示することになる。
【００２７】
ステップＳ２００の処理は、図６に例示するクリップリスト編集処理を実行することにより行なわれる。このクリップリスト編集処理では、チェックボックス操作、即ち、各チェックボックスか全てチェックＯＮボタン７４か全てチェックＯＦＦボタン７５のいずれかが左クリックされたか否か（ステップＳ４００）、削除ボタンの操作、即ち、全て削除ボタン７６かチェック項目を削除ボタン７７のいずれかが左クリックされたか否か（ステップＳ４１０）、このブラウザー画面５０以外に起動しているブラウザー画面のクリップリストや後述する印刷プレビュー画面のクリップリストのいずれかが更新されたか否か（ステップＳ４２０）をそれぞれ判定する。いずれの判定も否定的な場合には、何もせずに本処理を終了する。チェックボックス操作がなされた場合には、左クリックされたボタンに応じて該当するクリップデータのチェック状態を更新する（ステップＳ４３０）。削除ボタンの操作がなされた場合には、印刷プレビュー画面が起動中であるか否かを判定し（ステップＳ４４０）、起動中でない場合には左クリックされたボタンに応じて該当するクリップデータを削除する（ステップＳ４５０）。起動中である場合には、クリップデータを削除しない。このブラウザー画面５０以外に起動しているブラウザー画面のクリップリストか印刷プレビュー画面のクリップリストのいずれかが更新された場合には、この更新と同期して同一のクリップリストに更新する（ステップＳ４６０）。この処理は、ブラウザー画面５０と印刷プレビュー画面とが別プロセスとして起動されている場合には、それぞれ独立した仮想アドレス空間を有しているため、例えば、ＯＳがサポートする機能の一つであるプロセス間通信を用いてクリップリストを受け渡すことにより行なうことができる。
【００２８】
次に、プレビュー処理について説明する。図７は、本実施形態の情報処理装置２０のＣＰＵ３２により実行されるプレビュー処理の一例を示すフローチャートである。この処理は、クリップ印刷の例では、起動されているブラウザー画面５０の印刷／プレビューボタン７８か選択範囲を印刷ボタン８２のいずれかが左クリックされて印刷プレビュー画面の起動が指示されたときに実行される。
【００２９】
プレビュー処理が実行されると、ＣＰＵ３２は、まず、印刷プレビュー画面の起動を指示したブラウザー画面のクリップリストと同一のクリップリストをこの印刷プレビュー画面のクリップリストとして登録する（ステップＳ５００）。この処理は、前述したように、プロセス間通信を用いてクリップデータを受け渡すことにより行なうことができる。続いて、登録したクリップリストのクリップデータのうちチェックＯＮに設定されているクリップデータを読み出してプレビュー用紙領域にレイアウトする処理を実行する（ステップＳ５１０）。このレイアウト処理は、以下のレイアウトルールに従って行なわれる。
【００３０】
図８に５つのクリップデータ１〜５を用紙領域にレイアウトする様子の前半部分を、図９にその後半部分を示す。レイアウト処理では、まず、クリップリストに登録されているクリップデータのうちチェックＯＮされているクリップデータ１〜５を登録が古い順に並べる。続いて、用紙領域の空きエリアをチェックしその空きエリアに最も登録が古いクリップデータ１が収まるか否かを判定する（図８（ａ）参照）。初回は用紙領域全体が空きエリアとなるため、その空きエリアの左上にクリップデータ１を配置する（図８（ｂ）参照）。続いて、クリップデータ１を配置した後の用紙領域における右サイドの空きエリア１をチェックしその空きエリア１に次のクリップデータ２の幅が収まるか否かを判定する（図８（ｃ）参照）。ここで、空きエリア１は、レイアウト済みのクリップデータの右辺に接し、水平方向に印刷領域が空いている矩形の領域を示す。クリップデータ２の幅は空きエリア１に収まるため、その空きエリア１の左上にクリップデータ２を配置する（図８（ｄ）参照）。そして、クリップデータ１，２を配置した後の用紙領域における右サイドの空きエリア１をチェックしその空きエリア１に次のクリップデータ３の幅が収まるか否かを判定する（図８（ｅ）参照）。クリップデータ３の幅は右サイドの空きエリア１からはみ出るため、さらに、下サイドの空きエリア２をチェックしその空きエリア２にクリップデータ３の高さが収まるか否かを判定する（図８（ｆ）参照）。ここで、空きエリア２は、レイアウト済みのクリップデータの下端に接し、垂直方向に印刷領域が空いている矩形の領域を示す。クリップデータ３の高さは空きエリア２に収まるため、その空きエリア２の左上にクリップデータ３を配置する（図９（ｇ）参照）。次に、クリップデータ１〜３を配置した後の用紙領域における右サイドの空きエリア１をチェックしその空きエリア１に次のクリップデータ４の幅が収まるか否かを判定する（図９（ｈ）参照）。クリップデータ４の幅は空きエリア１に収まるため、その空きエリア１の左上にクリップデータ４を配置する（図９（ｉ）参照）。次に、クリップデータ１〜４を配置した後の用紙領域における右サイドの空きエリア１をチェックしその空きエリア１にクリップデータ５の幅が収まるか否かを判定する（図９（ｊ）参照）。クリップデータ５の幅は空きエリア１からはみ出るため、さらに、下サイドの空きエリア２をチェックしその空きエリア２にクリップデータ５の高さが収まるか否かを判定する（図９（ｋ）参照）。クリップデータ５の高さは空きエリア２からはみ出るため、クリップデータ５の空きエリア２からはみ出さない部分については空きエリア２に配置し、はみ出す部分については次のページの用紙領域の左上に配置する（図９（ｌ）参照）。このように、レイアウト処理では、右サイドの空きエリア１と下サイドの空きエリア２とのうちの両方にクリップデータを配置可能な場合には空きエリア１を選択して配置し、空きエリア１と空きエリア２のいずれか一方にクリップデータを配置可能な場合にはその配置可能な空きエリアに配置し、空きエリア１と空きエリア２のいずれにもクリップデータを配置できない場合には空きエリア２からクリップデータがはみ出さない部分については空きエリア２に配置しはみ出る部分については次ページの用紙領域に配置するのである。
【００３１】
こうしてクリップデータをレイアウトすると、レイアウト結果から印刷データを作成して（ステップＳ５２０）、クリップデータがプレビュー用紙領域にレイアウトされた印刷プレビュー画面を起動する（ステップＳ５３０）。印刷プレビュー画面の一例を図１０に示す。
【００３２】
印刷プレビュー画面１５０は、図１０に示すように、クリップデータがレイアウトされたプレビュー用紙領域１６２ａ，１６２ｂを２ページ単位で表示するプレビュー表示領域１６０と、クリップデータをサムネイル表示するクリップリスト表示領域１７０と、プリント設定を表示するプリント設定表示領域１７７と、プレビューや印刷に関する種々の操作を行なうための各種ボタン１８１〜１８３と、各種の値の入力が可能な各種入力ボックス１８４，１８５と、が表示される。各種ボタンとしては、プレビュー用紙領域１６２ａ，１６２ｂの内容を現在のプリント設定で印刷するための印刷ボタン１８１と、プレビュー用紙の先頭ページを表示する先頭ページボタンと１つ前のページを表示する前ページボタンと次のページを表示する次ページボタンと最終ページを表示する最終ページボタンとからなるページ捲りボタン１８２と、印刷プレビュー画面１５０を閉じるための閉じるボタン１８３とが設けられている。また、各種入力ボックスとしては、ページ総数に対して現在表示しているページのページ番号を表示すると共に表示を変更するページ番号の入力が可能なカレントページ表示／入力ボックス１８４と、印刷部数を指定する印刷部数指定ボックス１８５とが設けられている。クリップリスト表示領域１７０は、クリップデータがサムネイル化されたサムネイル画像１７２ａ〜１７２ｃと、クリップデータに対して種々の操作を行なうための各種ボタン１７４〜１７６と、が表示される。サムネイル画像１７２ａ〜１７２ｃの右サイドには、クリップリスト表示領域１７０内に収まりきれないサムネイル画像を縦スクロールにより表示するためのスクロールバー１７３が設けられている。サムネイル画像１７２ａ〜１７２ｃに左上に設けられたチェックボックスは、印刷するクリップデータを選択するためのものであり、チェックＯＦＦの状態でマウス２６でカーソルを合わせて左クリックされるとチェックＯＮとなり、チェックＯＮの状態でマウス２６でカーソルを合わせて左クリックされるとチェックＯＦＦとなる。クリップ表示領域１７０に表示された各種ボタンとしては、クリップリストの全てのクリップデータのチェックボックスをチェックＯＮする全てチェックＯＮボタン１７４と、クリップリストの全てのクリップデータのチェックボックスをチェックＯＦＦする全てチェックＯＦＦボタン１７５と、クリップリスト表示領域１７０をたたむリスト格納ボタン１７６とが設けられている。プリント設定表示領域１７７は、現在設定されている給紙方式や用紙サイズ，用紙種類などを表示するプリント設定確認リスト１７８と、プリント設定表示領域１７７をたたむリスト格納ボタン１７９とが表示される。なお、リスト格納ボタン１７６，１７９は、リストをたたんだ状態ではリストを表示されている状態に戻すためのリスト復元ボタンとなる。
【００３３】
印刷プレビュー画面１５０を起動すると、起動中のブラウザー画面のクリップリストと同期をとり（ステップＳ５４０）、ブラウザー画面のクリップリストが更新されているか否かを判定し（ステップＳ５５０）、更新されている場合には、ブラウザー画面のクリップリストと同一のクリップリストに更新する（ステップＳ５６０）。ブラウザー画面が複数起動されている場合には、図４のクリップモード時処理のステップＳ３５０で説明したように、印刷プレビュー画面１５０を起動させた親画面のブラウザー画面５０は、モーダル状態で待機しているためユーザーからの如何なる操作も受け付けないが、親画面以外のブラウザー画面は、印刷プレビュー画面１５０とは独立しているため、各種操作が可能となる。したがって、ステップＳ５４０〜Ｓ５６０の処理は、親画面以外のブラウザー画面５０からクリップデータが追加されたり、クリップデータのチェック状態が更新されたりした場合に、これを印刷プレビュー画面１５０のクリップリストに反映させる処理となる。なお、同期処理は、前述したように、プロセス間通信を用いてクリップリストを受け渡すことにより行なうことができる。クリップリストが更新されると、更新されたクリップリストに基づいてレイアウト処理を実行し（ステップＳ５９０）、印刷データを生成し（ステップＳ６００）、生成した印刷データに基づいて印刷プレビュー画面１５０を更新する（ステップＳ６１０）。
【００３４】
ステップＳ５５０でブラウザー画面のクリップリストが更新されていないと判定された場合には、印刷プレビュー画面１５０のクリップリスト表示領域１７０のチェックボックス操作、即ち、各チェックボックスと全てチェックＯＮボタン１７４と全てチェックＯＦＦボタン１７５のいずれかが左クリックされたか否かを判定する（ステップＳ５７０）。チェックボックス操作がなされた場合には、左クリックされたボタンの種類に応じて該当するクリップデータのチェック状態を変更することによりクリップリストを更新し（ステップＳ５８０）、更新したクリップリストに基づいてレイアウト処理を実行し印刷データを生成し印刷プレビュー画面１５０を更新する（ステップＳ５９０〜Ｓ６１０）。一方、チェックボックス操作がなされていない場合には、印刷プレビュー画面１５０を更新することなく、次の処理に進む。ステップＳ５７０，Ｓ５８０の処理は、印刷プレビュー画面１５０でクリップデータのチェック状態が更新された場合に、印刷プレビュー画面１５０のクリップリストに反映させる処理となる。
【００３５】
そして、印刷ボタン１８１が左クリックされるまで（ステップＳ６２０）、ステップＳ５４０に戻ってステップＳ５４０〜Ｓ６１０の処理を繰り返し、印刷ボタン１８１が左クリックされた場合に、印刷データをプリンター４０に出力して（ステップＳ６３０）、プレビュー処理を終了する。
【００３６】
図１１に、クリップデータのチェックＯＮにより印刷プレビュー画面１５０のプレビュー表示が更新される様子を示す。いま、クリップリストに「Clip Data1」，「Clip Data2」，「Clip Data3」の３つのクリップデータが登録され、「Clip Data1」と「Clip Data3」とがチェックＯＮされると共に「Clip Data2」がチェックＯＦＦされている場合を考える。この場合、プレビュー用紙領域１６２には、「Clip Data1」と「Clip Data3」とが前述したレイアウトルールに従って配置される。この状態から、「Clip Data2」がチェックＯＮされると、「Clip Data2」は「Clip Data1」と「Clip Data3」とに対して最後尾に並べられ（最新のものとして並べられ）、前述したレイアウトルールに従ってプレビュー用紙領域１６２の空きエリアに配置される。前述したように、図７のプレビュー処理では、クリップリストの更新やレイアウト処理，これらに基づく印刷プレビュー画面１５０の更新を繰り返し実行しているから、クリップデータに対するチェックＯＮの操作は、プレビュー用紙領域１６２へのクリップデータのレイアウトに即座に反映されることになる。また、起動中のブラウザー画面のクリップリストと同期をとっているから、ブラウザー画面５０上のクリップリスト表示領域１７０でクリップデータに対して行なったチェックＯＮの操作も、プレビュー用紙１６２へのクリップデータのレイアウトに即座に反映される。
【００３７】
図１２に、クリップデータのチェックＯＦＦにより印刷プレビュー画面１５０のプレビュー表示が更新される様子を示す。いま、クリップリストに「Clip Data1」，「Clip Data2」，「Clip Data3」の３つのクリップデータがチェックＯＮで登録されている場合を考える。この場合、プレビュー用紙領域１６２には、「Clip Data1」と「Clip Data2」と「Clip Data3」とが前述したレイアウトルールに従って配置される。この状態から、「Clip Data3」がチェックＯＦＦされると、プレビュー用紙領域１６２から「Clip Data3」だけが除去される。前述したように、図７のプレビュー処理では、クリップリストの更新やレイアウト処理，これらに基づく印刷プレビュー画面１５０の更新を繰り返し実行しているから、クリップデータに対するチェックＯＦＦの操作は、プレビュー用紙領域１６２へのクリップデータのレイアウトに即座に反映されることになる。また、起動中のブラウザー画面のクリップリストと同期をとっているから、ブラウザー画面５０上のクリップリスト表示領域１７０でクリップデータに対して行なったチェックＯＦＦの操作も、プレビュー用紙１６２へのクリップデータのレイアウトに即座に反映される。
【００３８】
図１３に、印刷プレビュー画面１５０が起動されている状態でブラウザー画面５０上でのクリップデータの追加により印刷プレビュー画面１５０のプレビュー表示が更新される様子を示す。いま、クリップリストに「Clip Data1」，「Clip Data2」の２つのクリップデータが登録され、「Clip Data1」と「Clip Data2」とがチェックＯＮされている場合を考える。この場合、プレビュー用紙領域１６２には、「Clip Data1」と「Clip Data2」とが前述したレイアウトルールに従って配置される。この状態から、印刷プレビュー画面１５０を起動させた親画面であるブラウザー画面５０以外にブラウザー画面が新たに起動され、このブラウザー画面のＷｅｂページに対してクリップエリア６２を選択し選択範囲をクリップボタン８４が左クリックされると、新たにクリップされた内容が「Clip Data3」としてクリップリストに登録される。このとき、印刷プレビュー画面１５０では、新たに追加された「Clip Data3」がプレビュー用紙１６２の空きエリアに配置される。図７のプレビュー処理では、起動中のブラウザー画面のクリップリストとの同期をとりながらクリップリストの更新やレイアウト処理，これらに基づく印刷プレビュー画面１５０の更新を繰り返し実行しているから、新たにクリップされた内容はプレビュー用紙１６２へのレイアウトに即座に反映されることになる。したがって、クリップデータを追加するために、印刷プレビュー画面１５０を一旦閉じて再度ブラウザー画面５０でクリップしてクリップデータを追加してから印刷プレビュー画面１５０を再起動するような煩わしい作業を必要としない。
【００３９】
ここで、本実施形態の構成要素と本発明の構成要素との対応関係を明らかにする。ブラウザー画面５０上でＷｅｂページのクリップする領域を選択するためのクリップバンド６１のリサイズや移動を行なう図５のクリップ処理のステップＳ２１０，Ｓ２２０の処理を実行するＣＰＵ３２やマウス２６などが「領域指定手段」に相当し、選択された領域をクリップしてクリップデータを作成するステップＳ２７０，Ｓ３１０の処理を実行するＣＰＵ３２が「クリップ手段」に相当し、クリップデータをクリップリストに登録するステップＳ２８０，Ｓ３２０の処理や図７のプレビュー処理のステップＳ５００の処理を実行するＣＰＵ３２が「クリップリスト登録手段」に相当し、クリップデータをプレビュー用紙領域にレイアウトした印刷プレビュー画面１５０を起動するステップＳ５１０〜Ｓ５３０の処理を実行するＣＰＵ３２が「レイアウト画面起動手段」に相当し、起動中のブラウザー画面５０のクリップリストと同期をとり更新されたクリップデータをプレビュー用紙領域にレイアウトするステップＳ５４０〜Ｓ６１０の処理を実行するＣＰＵ３２が「レイアウト画面更新手段」に相当する。また、リスト表示領域７０，１７０が「リスト表示手段」に相当し、図６のクリップリスト編集処理のステップＳ４００，Ｓ４３０の処理や図７のプレビュー処理のステップＳ５７０，Ｓ５８０の処理を実行するＣＰＵ３２やマウス２６などが「クリップ情報選択手段」に相当する。なお、本実施形態では、情報処理装置２０の動作を説明することにより本発明の情報処理方法やプログラムの一例も明らかにしている。
【００４０】
以上説明した本実施形態の情報処理装置２０によれば、ブラウザー画面５０上のＷｅｂページに対して任意の領域のクリップを受け付けてクリップリストに登録し、ブラウザー画面５０から印刷プレビュー画面１５０の起動が指示された場合には、ブラウザー画面５０のクリップリストを印刷プレビュー画面１５０のクリップリストとして登録すると共に登録したクリップリストのクリップデータをプレビュー用紙領域にレイアウトした印刷プレビュー画面１５０を起動し、印刷プレビュー画面１５０が起動している最中に印刷プレビュー画面１５０を起動させたブラウザー画面５０（親画面）以外のブラウザー画面上のＷｅｂページに対して新たにクリップされた場合には、そのブラウザー画面のクリップリストとの同期とクリップリストのクリップデータのレイアウトとを実行して印刷プレビュー画面１５０を更新するから、ブラウザー画面上で新たにクリップされた内容を印刷プレビュー画面１５０のプレビュー用紙領域へのレイアウトに即座に反映させることができる。この結果、クリップデータを追加するために、印刷プレビュー画面１５０を一旦閉じて再度ブラウザー画面５０でクリップしてクリップデータを追加してから印刷プレビュー画面１５０を再起動するような煩わしい作業を必要とすることがない。
【００４１】
また、本実施形態の情報処理装置２０によれば、印刷プレビュー画面１５０のクリップリスト表示領域１７０のクリップデータに対してチェックＯＮ，チェックＯＦＦの操作を受け付け、クリップリストの更新やレイアウト処理，これらに基づく印刷プレビュー画面１５０の更新を繰り返し実行するから、クリップデータに対するチェックＯＮとチェックＯＦＦの操作をプレビュー用紙領域へのレイアウトに即座に反映させることができる。また、起動中のブラウザー画面５０のクリップリストと同期をとってクリップリストを更新するから、ブラウザー画面５０上のクリップリスト表示領域７０のクリップデータに対して行なったチェックＯＮやチェックＯＦＦの操作も印刷プレビュー画面１５０のプレビュー用紙１６２へのレイアウトに即座に反映させることができる。
【００４２】
上述した実施形態では、ブラウザー画面５０が複数起動している最中には、印刷プレビュー画面１５０をモーダル状態で起動させたブラウザー画面（親画面）以外のブラウザー画面からクリップされた場合に、クリップリストの同期をとることにより、クリップされた内容を印刷プレビュー画面１５０のプレビュー用紙領域へのレイアウトに反映させるものとしたが、印刷プレビュー画面１５０を親画面からモードレス状態として起動させるものとすれば、印刷プレビュー画面１５０を起動させたブラウザー画面からのクリップ操作を受け付けてクリップされた内容を印刷プレビュー画面１５０のプレビュー用紙領域へのレイアウトに反映させるものとしてもよい。
【００４３】
上述した実施形態では、全てのブラウザー画面５０を終了してもクリップリスト内のクリップデータはそのまま保持するものとしたが、全てのブラウザー画面５０が終了したときにクリップリスト内のクリップデータを削除するものとしてもよい。
【００４４】
上述した実施形態では、本発明の情報処理装置２０をプリンター４０に接続し、ブラウザー画面５０でクリップされた内容を印刷のための印刷プレビュー画面１５０として表示するものとしたが、クリップされた内容をレイアウトしたレイアウト画面であれば、印刷プレビュー画面として表示するものに限られない。この場合、情報処理装置２０をプリンター４０に接続する必要はない。
【００４５】
上述した実施形態では、本発明を情報処理装置２０の形態として説明したが、情報処理方法の形態とするものとしてもよい。また、情報処理装置２０をコンピューターに実現させるためのプログラムの形態とするものとしても構わない。
【００４６】
なお、本発明は上述した実施形態に何ら限定されることはなく、本発明の技術的範囲に属する限り種々の態様で実施し得ることはいうまでもない。
【符号の説明】
【００４７】
２０  情報処理装置、２２  液晶ディスプレイ、２４  キーボード、２６  マウス、３０  コンピューター本体、３２  ＣＰＵ、３４  ＲＡＭ、３６  ハードディスクドライブ装置（ＨＤＤ）、３６ａ  Ｗｅｂブラウザー、３６ｂ  アドオン、４０  プリンター、４２  ルーター、５０  ブラウザー画面、５２  ツールバー、５４  印刷／プレビューボタン、５６  クリップ印刷ボタン、５８  閉じるボタン、６０  クリップ作業領域、６１  クリップバンド、６２  クリップエリア、６４  クリップフレーム、６６  クリップハンドル、７０，１７０  クリップリスト表示領域、７２ａ〜７２ｃ，１７２ａ〜１７２ｃ  サムネイル画像  ７３，１７３  スクロールバー、７４，１７４  全てチェックＯＮボタン、７５，１７５  全てチェックＯＦＦボタン、７６  全て削除ボタン、７７  チェック項目を削除ボタン、７８  印刷／プレビューボタン、８０  アクションバー、８２  選択範囲を印刷ボタン、８４  選択範囲をクリップボタン、８６  キャンセルボタン、１５０  印刷プレビュー画面、１６０  プレビュー表示領域、１６２，１６２ａ，１６２ｂ  プレビュー用紙領域、１７６，１７９  リスト格納ボタン、１７７  プリント設定表示領域、１７８  プリント設定確認リスト、１８１  印刷ボタン、１８２  ページ捲りボタン、１８３  閉じるボタン、１８４  カレントページ表示／入力ボックス、１８５  印刷部数指定ボックス。
【図１】
0005664035.tif 000002
【図２】
0005664035.tif 000003
【図３】
0005664035.tif 000004
【図４】
0005664035.tif 000005
【図５】
0005664035.tif 000006
【図６】
0005664035.tif 000007
【図７】
0005664035.tif 000008
【図８】
0005664035.tif 000009
【図９】
0005664035.tif 000010
【図１０】
0005664035.tif 000011
【図１１】
0005664035.tif 000012
【図１２】
0005664035.tif 000013
【図１３】
0005664035.tif 000014